(57)【要約】      （修正有）【課題】背部に対する後ウエスト域のズレを抑制するとともに、ウエスト開口側へ移動する排泄物を収容、保持することのできる部分を有しながら、着用者の姿勢の変化に対応して変形しかつその姿勢が元の姿勢に戻ったら元の状態に復帰する。【解決手段】使い捨ておむつは、後ウエスト域は肌対向面に位置して横方向へ延びるウエストバンド部とクロッチ域の側から上方へ延びる外壁部４３と前後方向においてウエストバンド部と外壁部との間に位置して横方向へ弾性伸縮性を有する内壁部４２の弾性伸縮性によって内壁部が横方向へ収縮した状態ではウエストバンド部と内壁部とが対向するとともに内壁部と外壁部とが対向して内壁部と外壁部との間に空間Ｓが画成され、吸収性シャーシの後端部１２Ｂは不透液性又は難透液性のバックシート８６を有し外壁部の内面において空間の内部に延在し、外壁部の横方向における伸長応力が内壁部の横方向における伸長応力よりも小さい。【選択図】図６
2019071956.tif 000002
【特許請求の範囲】
【請求項１】
着用状態において上下方向及び横方向と、前記上下方向と前記横方向とに交差する前後方向とを有し、肌対向面及び非肌対向面と、前ウエスト域と、後ウエスト域と、前記前後ウエスト域の間に位置するクロッチ域と、前記クロッチ域から前記前後ウエスト域へ延びる吸収性シャーシとを含む使い捨て着用物品において、
前記後ウエスト域は、前記肌対向面に位置して前記横方向へ延びるウエストバンド部と、前記クロッチ域の側から上方へ延びる外壁部と、前記前後方向において前記ウエストバンド部と前記外壁部との間に位置して前記横方向へ弾性伸縮性を有する内壁部とを有し、
前記内壁部の弾性伸縮性によって前記内壁部が前記横方向へ収縮した状態では、前記ウエストバンド部と前記内壁部とが対向するとともに、前記内壁部と前記外壁部とが対向して前記内壁部と前記外壁部との間に空間が画成され、
前記吸収性シャーシの後端部は、不透液性又は難透液性のバックシートを有し、前記外壁部の内面において前記空間の内部に延在し、
前記外壁部の前記横方向における伸長応力が、前記内壁部の前記横方向における伸長応力よりも小さいことを特徴とする着用物品。
【請求項２】
前記後ウエスト域はシートによって形成され、前記シートを折り曲げることによって、前記ウエストバンド部と前記内壁部との間に位置して前記横方向へ延びる第１折曲部、前記内壁部と前記外壁部との間に位置して前記横方向へ延びる第２折曲部、前記ウエストバンド部、前記内壁部、及び前記外壁部が形成される請求項１に記載の着用物品。
【請求項３】
前記後ウエスト域は、壁部形成シートを有し、前記壁部形成シートを折り曲げることによって、前記ウエストバンド部と前記内壁部との間に位置して前記横方向へ延びる第１折曲部、前記ウエストバンド部、及び前記内壁部が形成される請求項１に記載の着用物品。
【請求項４】
前記ウエストバンド部は、前記横方向へ弾性伸縮性を有し、
前記ウエストバンド部、前記内壁部、及び前記外壁部の前記横方向における伸長応力の相関関係が、前記ウエストバンド部＞前記内壁部＞前記外壁部である請求項１〜３のいずれかに記載の着用物品。
【請求項５】
前記吸収性シャーシは、前記クロッチ域から前記前後ウエスト域まで延びる吸収性コアを有し、
前記吸収性コアは、前記内壁部と前記外壁部との間の前記空間の内部にまで延在している請求項１〜４のいずれかに記載の着用物品。
【請求項６】
自然状態において、前記前ウエスト域のウエスト開口縁は、前記後ウエスト域のウエスト開口縁よりも下方に位置する請求項１〜５のいずれかに記載の着用物品。
【請求項７】
前記外壁部には、前記横方向へ収縮可能に延びる弾性体が配置されていない請求項１〜６のいずれかに記載の着用物品。
【請求項８】
前記後ウエスト域は、前記ウエストバンド部と前記内壁部と前記外壁部とをそれぞれ互いに接合する一対の第１固定域と、前記内壁部と前記外壁部とを互いに接合する一対の第２固定域とを有し、
前記第１固定域の前記横方向の寸法が、前記第２固定域の前記横方向の寸法よりも大きく、
前記第１固定域の内方に前記第２固定域が位置する請求項１〜７のいずれかに記載の着用物品。
【請求項９】
前記ウエストバンド部と前記内壁部とには、前記横方向へ収縮可能に延びる複数条の弾性体が配置され、
前記ウエストバンド部における前記弾性体の前記上下方向における寸法は、前記内壁部における前記弾性体の前記上下方向における寸法よりも小さい請求項１〜８のいずれかに記載の着用物品。
【発明の詳細な説明】
【技術分野】
【０００１】
この発明は、使い捨ておむつ等の着用物品に関する。
【背景技術】
【０００２】
従来、着用状態において上下方向及び横方向と、前記上下方向と交差する前後方向とを有し、肌対向面及び非肌対向面と、着用者の身体と対向する内面とその反対側に位置する外面とを有し、前ウエスト域と、後ウエスト域と、前後ウエスト域の間に位置するクロッチ域と、前記クロッチ域から前後ウエスト域へ延びる吸収性シャーシとを含むおむつは、公知である。
【０００３】
例えば、特許文献１に開示されているおむつの前ウエスト域は、ウエスト開口の非肌対向面に、帯状のウエスト拡張部を有している。
【０００４】
ウエスト拡張部は、後ウエスト域の両側縁まで横方向へ帯状に延びるものである。ウエスト拡張部は、肌対向面に位置して横方向へ延びるウエストバンド部と、最も非肌対向面の側に位置する外壁部と、前後方向において、ウエストバンド部と外壁部との間に位置する内壁部とを有している。
【先行技術文献】
【特許文献】
【０００５】
【特許文献１】特開２０１１−１８９０６８号公報
【発明の概要】
【発明が解決しようとする課題】
【０００６】
特許文献１に開示された着用物品では、着用者自らがウエストバンド部を摘持しながら引き上げることによって、後ウエスト域の長さ寸法を拡張することができる。したがって、例えば、着用者が背中を曲げたり、仰臥状態で脚を上げたりして後ウエスト域が下方へ引き下げられる場合であっても、ウエストバンド部を引き上げることによって、着用者の背部を被覆することができる。
【０００７】
また、ウエストバンド部には複数のギャザーが形成されるので、排泄物がギャザーの隙間から肌を伝って外に漏れ出るおそれがあるところ、ウエスト拡張部の内壁部と外壁部との間に排泄物を収容することのできる空間が形成されれば、外部への漏れを抑制することができる。しかしながら、外壁部が横方向へ延びる弾性体を有するために、外壁部が弾性体の収縮作用によって内壁部に接近し、内壁部と外壁部との間に排泄物を収容可能な空間を形成することができない。また、ウエスト拡張部は、母親等の第三者、若しくは使用者が、いったん摘持しながら引き上げてしまうと、外部から力を加えないかぎり元の状態に復帰することができない問題があった。
【０００８】
本発明は、背ズレ（背部に対する後ウエスト域のズレ）を抑制するとともに、ウエスト開口側へ移動する排泄物を収容、保持することのできる部分を有しながら、着用者の姿勢の変化に対応して変形し、かつその姿勢が元の姿勢に戻ったら元の状態に復帰することができる着用物品の提供に関する。
【課題を解決するための手段】
【０００９】
前記課題を解決するため、本発明は、着用状態において上下方向及び横方向と、前記上下方向と前記横方向とに交差する前後方向とを有し、肌対向面及び非肌対向面と、前ウエスト域と、後ウエスト域と、前記前後ウエスト域の間に位置するクロッチ域と、前記クロッチ域から前記前後ウエスト域へ延びる吸収性シャーシとを含む使い捨て着用物品を対象とする。
【００１０】
本発明における前記後ウエスト域は、前記肌対向面に位置して前記横方向へ延びるウエストバンド部と、前記クロッチ域の側から上方へ延びる外壁部と、前記前後方向において前記ウエストバンド部と前記外壁部との間に位置して前記横方向へ弾性伸縮性を有する内壁部とを有し、前記内壁部の弾性伸縮性によって前記内壁部が前記横方向へ収縮した状態では、前記ウエストバンド部と前記内壁部とが対向するとともに、前記内壁部と前記外壁部とが対向して前記内壁部と前記外壁部との間に空間が画成され、前記吸収性シャーシの後端部は、不透液性又は難透液性のバックシートを有し、前記外壁部の内面において前記空間の内部に延在し、前記外壁部の前記横方向における伸長応力が、前記内壁部の前記横方向における伸長応力よりも小さいことを特徴とする。
【００１１】
後ウエスト域はシートによって形成され、シートを折り曲げることによって、ウエストバンド部と内壁部との間に位置して横方向へ延びる第１折曲部、内壁部と外壁部との間に位置して横方向へ延びる第２折曲部、ウエストバンド部、内壁部、及び外壁部が形成される。よって、後ウエスト域を構成するシートを折り曲げることによって、ウエストバンド部、内壁部、及び外壁部を形成することできるため、複数のシートを接着剤によって固定する必要をなくし、接着剤が硬化することによってシートの肌触りが低下することを防止することができる。
【００１２】
後ウエスト域は、壁部形成シートを有し、壁部形成シートを折り曲げることによって、ウエストバンド部と内壁部との間に位置して横方向へ延びる第１折曲部、ウエストバンド部、及び内壁部が形成される。よって、内壁部と外壁部とを固定することで排泄物を収容するための空間を容易に形成することができる。
【００１３】
ウエストバンド部は、横方向へ弾性伸縮性を有し、ウエストバンド部、内壁部、及び外壁部の前記横方向における伸長応力の相関関係が、ウエストバンド部＞内壁部＞外壁部である。よって、ウエストバンド部の伸長応力が大きいため、着用者の背中に対して後ウエスト域の位置がずれるのを抑えることができるとともに、外壁部の伸長応力が小さいため、排泄物を収容するための空間が小さくなるのを抑えることができる。
【００１４】
吸収性シャーシは、クロッチ域から前後ウエスト域まで延びる吸収性コアを有し、吸収性コアは内壁部と外壁部との間の空間の内部にまで延在している。よって、内壁部と外壁部との間の空間に軟便等の排泄物が排泄されたとき、吸収性コアによって排泄物を吸収することができる。
【００１５】
自然状態において、前ウエスト域のウエスト開口縁は、後ウエスト域のウエスト開口縁よりも下方に位置する。よって、着用物品を乳幼児が着用したときには、相対的に前ウエスト域の上端縁が低い位置となるので、着用者の臍部が露出されて、臍部が前ウエスト域に触れて不快感や刺激を与えるのを抑制することができる。
【００１６】
外壁部には、横方向へ収縮可能に延びる弾性体が配置されていない。よって、内壁部と外壁部との間の空間が小さくなることを抑えることができるとともに、内壁部の弾性伸縮性によって、着用者の姿勢に対応して変形し、かつその姿勢が元の姿勢に戻ったら元の状態に復帰することができる。
【００１７】
後ウエスト域は、ウエストバンド部と内壁部と外壁部とをそれぞれ互いに接合する一対の第１固定域と、内壁部と外壁部とを互いに接合する一対の第２固定域とを有し、第１固定域の横方向の寸法が、第２固定域の横方向の寸法よりも大きく、第１固定域の内方に第２固定域が位置する。よって、内壁部と外壁部との間における空間の横方向の寸法を小さくすることができ、空間の内部の排泄物が外部に出てくることを抑えることができる。
【００１８】
ウエストバンド部と内壁部とには、横方向へ収縮可能に延びる複数条の弾性体が配置され、ウエストバンド部における弾性体の上下方向における寸法は、内壁部における弾性体の上下方向における寸法よりも小さい。よって、内壁部の伸長応力に対してウエストバンド部の伸長応力を大きくすることを容易にすることができる。
【発明の効果】
【００１９】
本発明に係る着用物品によれば、内壁部の弾性伸縮性によって、着用者の姿勢に対応して変形し、かつその姿勢が元の姿勢に戻ったら元の状態に復帰することができる。加えて、後ウエスト域が上下方向へ拡張されて背ズレを抑制することができるとともに、外壁部の横方向における伸長応力が、内壁部の横方向における伸長応力よりも小さいことから、外壁部の収縮力によって内壁部と外壁部との間に位置する空間が小さくなることを抑えることができ、排泄物を収容するための空間を維持することができる。
【図面の簡単な説明】
【００２０】
図面は、本発明の特定の実施の形態を示し、発明の不可欠な構成ばかりでなく、選択的及び好ましい実施の形態を含む。
【図１】本発明の着用物品の一例である第１実施形態のおむつを背面側から視た斜視図。
【図２】非着用状態（自然状態）におけるおむつを正面から視た平面図。
【図３】各弾性体をおむつの横方向及び縦方向に伸長させた状態における、おむつの一部破断展開図。
【図４】おむつの分解斜視図。
【図５】後ウエストパネルの展開図。
【図６】図１のＶＩ−ＶＩ線断面図。
【図７】後ウエスト域における内壁部及び外壁部が変形した状態における図６と同様の断面図。
【図８】（ａ）着用者が仰臥状態において、脚を上げたときの様子を示す側面図。（ｂ）着用者が仰臥状態において、脚を伸ばしたときの様子を示す側面図。
【図９】第２実施形態に係るおむつの図３と同様の図。
【発明を実施するための形態】
【００２１】
本発明の使い捨て着用物品の一例として示すパンツ型の使い捨ておむつ（プルオンおむつ）１０は、縦方向Ｙと、横方向Ｘと、それらに交差（直交）する厚さ方向である前後方向Ｚと、縦方向Ｙに沿って延び、その横方向Ｘの寸法を２等分する縦軸Ｐと、横方向Ｘへ沿って延び、その縦方向Ｙの寸法を２等分する横軸Ｑとを有する。
【００２２】
図１は、着用者に着用させたおむつ１０を示すものであるが、説明の便宜のため、着用者の身体を省略して示してある。図１〜図３を参照すると、おむつ１０は、肌対向面及びそれに対向する非肌対向面と、ウエスト回り方向へ延びる環状の弾性ウエストパネル１１と、弾性ウエストパネル１１に接合される吸収性シャーシ１２と、前ウエスト域１３と、後ウエスト域１４と、前後ウエスト域１３，１４の間に位置するクロッチ域１５とを含む。おむつ１０は、縦軸Ｐに関して対称に形成されている。弾性ウエストパネル１１は、前ウエスト域１３に位置する前ウエストパネル１７と、後ウエスト域１４に位置する後ウエストパネル１８とから構成される。
【００２３】
前ウエスト域１３は、それぞれ、横方向Ｘへ延びる内端縁１３ａと、縦方向Ｙにおいて内端縁１３ａと対向して横方向Ｘへ延びる外端縁（前ウエスト開口縁）１３ｂと、内端縁１３ａ及び外端縁１３ｂの間において縦方向Ｙへ延びる両側縁１３ｃとによって画定された横長矩形形状を有する。
【００２４】
後ウエスト域１４は、それぞれ、横方向Ｘへ延びる内端縁１４ａと、縦方向Ｙにおいて内端縁１４ａと対向して横方向Ｘへ延びる外端縁（前後ウエスト開口縁）１４ｂと、外端縁１４ｂから下方へ延びる両外側縁１４ｃと、両外側縁１４ｃと内端縁１４ａとをつなぎ、縦方向Ｙ及び横方向Ｘに対して下方へ傾斜する態様で延びる両内側縁１４ｄとによって画定された略台形状を有する。
【００２５】
前ウエスト域１３の両側縁１３ｃのそれぞれと、後ウエスト域１４の両外側縁１４ｃのそれぞれとは、互いに重ね合わされて、縦方向Ｙへ間隔をおいて配置されたサイドシーム１９によって連結されておむつ１０の両側縁部が形成され、ウエスト開口２１と一対のレッグ開口２２とが画定される。サイドシーム１９は、公知の接着手段、例えば、熱エンボス／デボス加工、ソニック加工等の各種公知の熱溶着手段によってなされる。
【００２６】
＜ウエスト重なり部＞
図６を参照すると、おむつ１０の後ウエスト域１４は、着用状態のウエスト開口２１の側に大便等の排泄物を収容可能なウエスト重なり部３０を有している。ウエスト重なり部３０は、肌対向面に位置して着用者の身体に当接する帯状のウエストバンド部２３と、クロッチ域１５の側から上方へ延びる外壁部４３と、前後方向Ｚにおいてウエストバンド部２３と外壁部４３との間に位置する内壁部４２とを有し、ウエストバンド部２３と内壁部４２と外壁部４３とが前後方向Ｚへ重なるように配置してあって、内壁部４２と外壁部４３との間に空間Ｓを有するように画成されている。ウエストバンド部２３と内壁部４２とは、横方向Ｘへ延びる第１折曲ライン３１ａを介して連なり、内壁部４２と外壁部４３とは横方向Ｘへ延びる第２折曲ライン３３ａを介して連なっている。ウエスト重なり部３０は、縦軸Ｐを中心として横方向Ｘへ広がる所定面積域にわたって形成されており、下方へ向かって（非着用状態においては、クロッチ域１５の側へ向かって）開口可能である。ウエスト重なり部３０とは、後ウエスト域１４のウエスト開口２１の側に位置する。ここで、「後ウエスト域１４のウエスト開口２１の側」とは、後ウエスト域１４の縦方向Ｙの寸法を２等分する線よりも外端縁１４ｂ側の領域を意味する。
【００２７】
ウエスト重なり部３０においては、内壁部４２と外壁部４３とが内方へ折り込まれたタック（縦方向へ延びる折曲線を有するもの）によって連結されていないことから、立体的なボックス状の収容空間が形成されることはないが、内壁部４２が横方向Ｘへ弾性収縮することによって、内壁部４２と外壁部４３との間に、後ウエスト域１４のウエスト開口２１の側へ移動した排泄物を収容可能な空間Ｓが形成される。このように、内壁部４２と外壁部４３との間に空間Ｓが形成されることによって、軟便や体液等の流動性の高い排泄物によって身体が汚れるのを抑制することができる。
【００２８】
ウエスト重なり部３０の横方向Ｘの両側にはサイドシーム１９が位置し、サイドシーム１９が空間Ｓの横方向Ｘの両側を閉塞する接合域（第１接合域）として機能する。ウエスト重なり部３０を形成するウエストバンド部２３、内壁部４２及び外壁部４３は、サイドシーム１９においてのみ互いに接合されており、サイドシーム１９の間においては互いに接合されていない。なお、ウエスト重なり部３０における空間Ｓを画成する限りにおいて、内壁部４２と外壁部４３とを接合する第１接合域は、おむつ１０の両側縁部を接合するサイドシーム１９ではなく、それよりも横方向Ｘの内側に位置する接合域であってもよい。
【００２９】
＜吸収性シャーシ＞
図３，図４及び図６を参照すると、吸収性シャーシ１２は、略長方形状であって、前端部１２Ａと、後端部１２Ｂと、前端部１２Ａと後端部１２Ｂの間に位置する中間部１２Ｃとを有する。吸収性シャーシ１２は、肌対向面側に位置し、透液性を有する繊維不織布製の身体側ライナ８４と、吸液性の吸収性コア８５と、非肌対向面側に位置するバックシート８６及びバックシート８７とを有する。バックシート８６は、吸収性コア８５の底面全体を被覆する不透液性のプラスチックフィルムから形成された防漏シートであり、バックシート８７は、吸収性シャーシ１２の非肌対向面全体を形成する不透液性又は難透液性の被覆シートである。吸収性シャーシ１２は、吸収性コア８５の後端縁から縦方向Ｙの外側へ延びる、身体側ライナ８４の後端部８４ａ，バックシート８６の後端部８６ａ，バックシート８７の後端部８７ａを含むエンドフラップ９３をさらに有する。
【００３０】
吸収性コア８５は、フラッフパルプと吸収性ポリマー粒子との混合物から形成された芯材と、芯材全体を包被するテッシュペーパ等から形成された液拡散性のコアカバーシートとから構成される。吸収性コア８５は、クロッチ域１５から前後ウエスト域１３，１４まで延び、吸収性コア８５の後端部８５ａは、内壁部４２と外壁部４３とによって画成される空間Ｓにまで延在している。これによって、ウエスト重なり部３０の空間Ｓに排泄された流動性の高い軟便等の排泄物を吸収性コア８５で吸収することができる。
【００３１】
バックシート８７の両側部は、縦方向Ｙへ延びる折曲ライン（図示せず）に沿って横方向Ｘの内側へ折り曲げられ、両側部とそれに対向する部分との間には縦方向Ｙへ延びる複数条のストリング状又はストランド状のレッグ弾性体９０が伸長状態で収縮可能に固定される。レッグ弾性体９０は、横方向Ｘにおいて所与寸法離間して配置された複数の弾性材料から形成されており、一定幅において弾性を有する弾性帯を形成するので、着用状態において着用者の脚回りに面状にフィットして排泄物の横漏れを効果的に防止しうる。
【００３２】
＜弾性ウエストパネル＞
図３及び図４を参照すると、前ウエストパネル１７は、前ウエスト域１３の外形を画定する２枚の前ウエストシート５０を有する。前ウエストシート５０は、吸収性シャーシ１２の前端部１２Ａが配置される主体部５２と、主体部５２の縦方向Ｙの外側に位置する延出部５３を有する。延出部５３は、横方向Ｘへ延びる折曲ラインに沿って内側に折曲されて主体部５２と、主体部５２の内面に配置された吸収性シャーシ１２の前端部１２Ａとに固定される。２枚の前ウエストシート５０の主体部５２の間には、横方向Ｘへ延びるストリング状又はストランド状の複数条の前ウエスト弾性体５５が伸長状態で収縮可能に取り付けられる。前ウエスト弾性体５５は、横方向Ｘの中央であって吸収性コア８５と重なる部分において切断、除去されており、中央非弾性域が画成されている。
【００３３】
後ウエストパネル１８は、図３及び図５に示すように、後ウエスト域１４の外形を画定する後ウエストシート６０を有する。後ウエストシート６０は、第１後ウエストシート６１と、第１後ウエストシート６１の内面側に位置し、第１後ウエストシート６１の一部を被覆する第２後ウエストシート６２とを有する。
【００３４】
第１及び第２後ウエストシート６１，６２は、第１後ウエストシート６１の縦方向Ｙの寸法が第２後ウエストシート６２の縦方向Ｙの寸法よりも大きく、第１後ウエストシート６１は、内面に第２後ウエストシート６２が配置された状態において、第２後ウエストシート６２の外端縁よりも縦方向Ｙの外側へ延出し、この延出部分を除いた部分では、第１及び第２後ウエストシート６１，６２は同形状である
【００３５】
後ウエストシート６０は、第１及び第２後ウエストシート６１，６２を接合することによって形成され、後述する区域６０Ａ，６０Ｂ，６０Ｃを有する主体部と、主体部から縦方向Ｙの外側に延びる第１後ウエストシート６１のみから形成された延出部６０Ｄと、横方向Ｘへ延びる複数の折曲ライン３１ａ，３３ａ，３４ａとを有する。後ウエストシート６０の主体部は、クロッチ域１５の側に位置する第１区域６０Ａと、第１折曲ライン３１ａと第２折曲ライン３３ａとの間に位置する第２区域６０Ｂと、第１折曲ライン３１ａと第３折曲ライン３４ａとの間に位置する第３区域６０Ｃとを有する。
【００３６】
後ウエストシート６０の主体部には、第１後ウエストシート６１と第２後ウエストシート６２との間において横方向Ｘへ伸長状態で収縮可能に取り付けられた、複数条のストリング状又はストランド状の弾性材料から形成された後ウエスト弾性体６３，６４，６５が配置される。後ウエスト弾性体６３，６４，６５は、主体部の第１区域６０Ａに位置する後下方ウエスト弾性体６３と、第２区域６０Ｂに位置する内壁部弾性体６５と、第３区域６０Ｃに位置するバンド部弾性体６４とを有する。後下方ウエスト弾性体６３は、横方向Ｘの中央であって吸収性コア８５と重なる部分において切断、除去されており、中央非弾性域が画成されている。
【００３７】
後ウエストパネル１８の主体部において、第１後ウエストシート６１と第２後ウエストシート６２とは、両シートのうちの一方の対向面に各種公知の塗布パターンで塗布されたホットメルト接着剤を介して接合されることのほかに、各弾性体６３，６４，６５の全周に塗布されたホットメルト接着剤を介して互いに接合することもできる。
【００３８】
後ウエストシート６０の第１区域６０Ａの肌対向面には、吸収性シャーシ１２の後端部１２Ｂが位置している。後ウエストシート６０の延出部６０Ｄは、折曲ライン３４ａに沿って主体部の内面へ向かって折り曲げられ、ホットメルト接着剤を介して主体部及び第１区域６０Ａに位置する吸収性シャーシ１２の後端部１２Ｂの一部に接合される。
【００３９】
第１区域６０Ａは、第１折曲ライン３３ａと後下方ウエスト弾性体６３との間に位置する、弾性体が配置されていない非弾性部分６６を有する。非弾性部分６６には、吸収性シャーシ１２の後端部１２Ｂが重なって位置している。
【００４０】
図４を参照すると、後ウエストシート６０は、延出部６０Ｄが主体部に接合された状態において、クロッチ域１５側から第２折曲ライン３３ａに沿って折り曲げて（山折り）第１区域６０Ａと第２区域６０Ｂとが互いに対向した状態とされ、さらに、第１折曲ライン３１ａに沿って折り曲げられて（谷折り）第２区域６０Ｂと第３区域６０Ｃとが互いに対向した状態とされることによって、縦断面において、第１区域６０Ａの非弾性部分６６及び第２、３区域６０Ｂ，６０Ｃが、Ｚ字状に折り畳まれる。
【００４１】
このように折り畳まれた状態で、サイドシーム１９において互いに重なり合う部分が接合されることによって、サイドシーム１９間において横方向Ｘへ連続して延びる、第３区域６０Ｃからなるウエストバンド部２３、第２区域６０Ｂからなる内壁部４２、第１区域６０Ａの非弾性部分６６からなる外壁部４３がそれぞれ形成される。また、折曲ライン３１ａ，３３ａによって折り曲げられた部分によって、それぞれの折曲部が形成され、内壁部４２と外壁部４３との間には、排泄物を収容、保持することが可能な空間Ｓが画成される。
【００４２】
本実施形態においては、後ウエストシート６０を横方向Ｘへ延びる複数の折曲線で折り曲げることによって、ウエストバンド部２３と内壁部４２と外壁部４３とを有するウエスト重なり部３０を形成している。このように、別体のシートを組み合わせて形成せずに、一体のウエストシート６０を折り曲げることによって形成することによって、製造コストを抑えることができる。
【００４３】
ウエスト重なり部３０の形成方法としては、本実施形態に限定されるものではなく、後ウエストシート６０とは別体の壁部形成シートからウエスト重なり部３０を形成してもよい。すなわち、後ウエストパネル１８のうちのウエスト重なり部３０を除く部分を後ウエストシート６０から形成し、ウエスト重なり部３０をそれとは別体の壁部形成シートから形成してもよい。さらに、壁部形成シートにおいてウエストバンド部２３のみを別体のシートから形成してもよいし、外壁部４３とウエスト重なり部３０を除く部分を後ウエストシート６０から形成し、壁部形成シートからウエストバンド部２３及び内壁部４２を形成してもよい。また、ウエストバンド部２３、内壁部４２、外壁部４３がそれぞれ別体のシートから形成されていてもよい。
【００４４】
後ウエスト域１４において、ウエストバンド部２３及び内壁部４２、後下方ウエスト弾性体６３が配置された後ウエスト弾性域には、各弾性体６３，６４，６５が配置されることによって、横方向Ｘへ伸縮可能な弾性域が形成される。
【００４５】
各弾性体６３，６４，６５の繊度、ピッチ及び伸長倍率によって適宜調整することが可能であって、弾性体６３，６４，６５の太さについていえば、好ましくは、後下方ウエスト弾性体６３の太さは３１０〜１２４０Ｄｔｅｘであり、バンド部弾性体６４の太さは３１０〜１２４０Ｄｔｅｘであり、内壁部弾性体６５の太さは３１０〜１２４０Ｄｔｅｘである。より好ましくは、後下方ウエスト弾性体６３の太さは４７０〜９４０Ｄｔｅｘであり、バンド部弾性体６４の太さは４７０〜９４０Ｄｔｅｘであり、内壁部弾性体６５の太さは４７０〜９４０Ｄｔｅｘである。また、伸長倍率についていえば、好ましくは、後下方ウエスト弾性体６３は２．０〜３．５倍、バンド部弾性体６４は１．８〜３．０倍、内壁部弾性体６５は１．８〜３．０倍に伸長された状態でシート６１，６２に取り付けられている。
【００４６】
図５を参照すると、ウエストバンド部２３におけるバンド部弾性体６４の縦方向Ｙ（上下方向）における寸法（ピッチ）Ｌ３は、内壁部４２における内壁部弾性体６５の縦方向Ｙ（上下方向）における寸法（ピッチ）Ｌ４よりも小さい。具体的には、ウエストバンド部２３におけるバンド部弾性体６４の縦方向Ｙにおける寸法Ｌ３は、３．０〜８．０ｍｍであり、内壁部４２における内壁部弾性体６５の縦方向Ｙにおける寸法Ｌ４は、５．０〜１０．０ｍｍである。ここで、弾性体６４，６５のピッチとは、弾性体６４，６５の中心間の距離ではなく、各弾性体６４，６５の互いに対向する側縁間の寸法を意味する。
【００４７】
後ウエスト域１４のウエスト開口２１の側において、ウエストバンド部２３、内壁部４２及び外壁部４３の横方向Ｘにおける所定幅の伸長応力の相関関係は、ウエストバンド部２３＞内壁部４２＞外壁部４３となっている。本実施形態においては、外壁部４３には、後下方ウエスト弾性体６３を有していない非弾性部分６６が配置され、実質的に弾性を有していないことから、内壁部４２及びウエストバンド部２３よりも伸長応力が低くなっている。また、ウエストバンド部２３の所定幅の伸長応力が内壁部４２のそれよりも高くなるためには、弾性体６４，６５の繊度、ピッチ及び伸長倍率を適宜調整すればよく、本実施形態においては、バンド部弾性体６４間のピッチを内壁部弾性体６５のピッチよりも小さくすることによって、かかる相関関係となるように調整されている。また、ウエストバンド部２３のバンド部弾性体６４間のピッチが、内壁部４２の内壁部弾性体６５間のピッチよりも小さいことから、着用者の肌に面状に接触し、肌当たりが良好であってゴム痕が付き難くなる。
【００４８】
ここで、「ウエストバンド部２３、内壁部４２及び外壁部４３の横方向Ｘにおける所定幅の伸長応力の相関関係が、ウエストバンド部２３＞内壁部４２＞外壁部４３」とは、外壁部４３に弾性体が配置されておらず実質的に弾性を有していない場合のほかに、後下方ウエスト弾性体６３の収縮作用によって僅かに弾性を発現する場合を含む。
【００４９】
＜ウエストバンド部２３、内壁部４２、及び外壁部４３の伸長応力の測定方法＞
ウエストバンド部２３、内壁部４２、及び外壁部４３の伸長応力の測定には、（株）島津製作所製のオートグラフ型引張試験機（例えば、ＡＧ−１ＫＮ１）を用いた。まず、おむつ１０の後ウエスト域１４をその表面に各弾性体６３，６４，６５の収縮作用によるギャザーがなくなる程度にまで伸長させた状態で、後ウエスト域１４におけるウエストバンド部２３、内壁部４２、及び外壁部４３の上下方向（縦方向Ｙ）の寸法を測定した後、カッターによって、ウエストバンド部２３、内壁部４２、及び外壁部４３のそれぞれをその寸法で切断し、後ウエスト域１４から、弾性体６３，６４，６５を含むようにウエストバンド部２３、内壁部４２、及び外壁部４３を切り取って試料とした。次に、各試料の一方端を固定チャック、他方端を可動チャックに挟み、３００ｍｍ／ｍｉｎの速度で初期寸法の約９０％の大きさまで伸長させた後に反転させて、初期寸法の約７５％の大きさまで各試料を収縮させたときの引張荷重（Ｎ）を求めて、単位幅（ｍｍ）当たりの応力（Ｎ／ｍｍ）に換算して伸長応力とした。
【００５０】
一般的なおむつでは、着用者（新生児又は低月齢の乳幼児）が、仰臥した状態で臀部を床面から離間させて脚を上げるような動作をした場合に、おむつの後ウエスト域には背中からずれ下がる力が作用し、後ウエスト域のウエスト開口縁部が下方へずり下げられて、臀部の一部が露出する等してウエスト開口縁部から排泄物が漏れ出るおそれがある。
【００５１】
図７及び図８（ａ）を参照すると、本実施形態に係るおむつ１０においては、着用者１が仰臥した状態で、腹部１ａに近づくように脚１ｂを上げる動作をすると、おむつ１０の後ウエスト域１４には背中１ｃからそれをずり下げようとする力が作用する。かかる状態において、比較的に大きい伸長応力を有するウエストバンド部２３がずり下がることはなく、ウエストバンド部２３から内壁部４２が離間するように斜め下方かつ後方へ移動し、外壁部４３が下方へ移動する。このように、後ウエスト域１４の縦方向Ｙ（上下方向）の寸法が拡げられるようにウエスト重なり部３０が着用者の身体の動きに応じて変形することで、ウエストバンド部２３をずり下げようとする力を吸収して、背ズレを抑制することができる。ウエスト重なり部３０は全体的に引き下げられながら展開するように変形するので、第２折曲ライン３３ａの折曲部は緩やかに湾曲した凸曲状となる。第２折曲ライン３３ａの折曲部の近傍には、弾性体が配置されておらず比較的に剛性が低く柔軟であるから、身体の動きに追従して変形しやすくなっている。
【００５２】
次に、図８（ｂ）に示すように、着用者が脚上げした状態から、臀部が床面に接触するように脚を引き下げた状態へ姿勢を変化させたときには、内壁部４２がウエストバンド部２３に向かって接近してウエスト重なり部３０がウエストバンド部２３と対向するように起立した状態となるとともに、外壁部４３が上方へ移動して復帰する（図６参照）。このように、内壁部４２がウエストバンド部２３に対して離間・接近可能であるから、着用者の姿勢の変化に応じて、後ウエストパネル１８が縦方向Ｙ（上下方向）において拡張するように変形して背ズレを抑制することができるとともに、着用者が元の姿勢となった場合には、着用者及び着用補助者が操作することなく、自動的に元の状態に復帰することができる。
【００５３】
本実施形態においては、横方向Ｘにおける所定幅の伸長応力の相関関係が、ウエストバンド部２３＞内壁部４２＞外壁部４３であることから、ウエストバンド部２３において安定的に身体にフィットされるとともに、内壁部４２がウエストバンド部２３よりも低い弾性を有することによって、着用者の動きに応じてウエストバンド部２３から離間するように斜め下方へかつ後方へ倒伏させることができる。
【００５４】
かかるウエスト重なり部３０の変形による後ウエスト域１４の縦方向Ｙ（上下方向）の寸法の拡張は、着用者の脚の動作だけでなく、着用者が寝臥状態で体を横によじ曲げたり、着用補助者が着用者を抱き抱えたりするときにも生じ、背ズレを抑制することができる。
【００５５】
また、ウエスト重なり部３０の変形前後において、外壁部４３に弾性体が配置されておらず、実質的に非弾性であることから、外壁部４３が内壁部４２に接近して空間Ｓが小さくなること、もしくは消失することはない。また、空間Ｓ内に吸収性シャーシ１２の後端部１２Ｂの一部であるエンドフラップ９３が位置していることから、外壁部４３は横方向Ｘにおいてシート部材のみから形成される場合に比べて高い剛性を有する。したがって、ウエスト重なり部３０が変形した状態、または圧力が加えられた状態であっても、外壁部４３の横方向Ｘの寸法が狭くなることはなく、空間Ｓの横幅が小さくなることはない。しかも、外壁部４３は、後ウエストシート６０及び吸収性シャーシ１２のバックシート８６，８７（身体側ライナ８４を含む）によって形成されている一方、内壁部４２は後ウエストシート６０のみによって形成されているため、外壁部４３を形成するシートの枚数が、内壁部４２を形成するシートの枚数よりも多い。このため、外壁部４３の剛性が、内壁部４２の剛性よりも大きく、内壁部４２は着用者の身体の動きに応じて柔軟に変形する一方、外壁部４３は上下方向へ移動するものの変形量は内壁部４２に対して相対的に小さくなる。
【００５６】
加えて、ウエストバンド部２３、内壁部４２、及び外壁部４３を構成するシートは、横方向Ｘの両側縁に位置する一対のサイドシーム１９のみによって固定され、一対のサイドシーム１９の間では非固定である。このため、内壁部４２が変形できる横方向Ｘの寸法を可及的に大きくすることができる。
【００５７】
さらに、エンドフラップ９３は、不透液性又は難透液性のバックシート８６，８７を有することから、空間Ｓに移動した流動性の高い排泄物の漏れを抑制することができる。また、本実施形態においては、エンドフラップ９３のみならず、シート部材よりも剛性の高い半剛性の吸収性コア８５の後端部８５ａも空間Ｓ内に位置しているので、外壁部４３の変形をより抑制することができるとともに、空間Ｓの内部へ移動した排泄物を十分に吸収することができる。
【００５８】
以上のとおり、本実施形態に係るおむつ１０においては、着用者の姿勢に応じて後ウエスト域１４の上下方向の寸法を拡張して背ズレを抑制することができるとともに、ウエスト開口の側へ移動した流動性の高い排泄物をウエスト重なり部３０で収容、保持することができるので、排泄物によって背中が汚れるのを防止することができる。
【００５９】
再び、図２を参照すると  前ウエスト域１３の上端縁（前ウエスト開口縁）１３ｂは、後ウエスト域１４の上端縁（後ウエスト開口縁）１４ｂよりも下方に位置している。おむつ１０を展開して縦方向Ｙ及び横方向Ｘへ引張した状態において、横軸Ｑから前ウエスト域１３の外端縁１３ｂまでの離間寸法と、横軸Ｑから後ウエスト域１４の外端縁１４ｂまでの離間寸法とはほぼ同じであるが、後ウエスト域１４では内壁部４２が収縮してウエストバンド部２３に対して斜めになることによって、ウエストバンド部２３が上方へ引き上げられ、上方へ凸曲するような形状を有する。よって、後ウエスト域１４の外端縁１４ｂが前ウエスト域１３の外端縁１３ｂよりも上方へ延出していると考えられる。おむつ１０を乳幼児が着用したときには、相対的に前ウエスト域１３の外端縁１３ｂが低い位置となるので、着用者の臍部が露出されて、臍部が前ウエスト域１３に触れて不快感や刺激を与えるのを抑制することができる。
【００６０】
＜第２実施形態＞
図９は、第２実施形態に係るおむつ１０の図３と同様の展開平面図である。本実施形態に係るおむつ１０の基本的構成態様は、第１実施形態と同様であって、相違する構成について以下に説明する。
【００６１】
ウエストバンド部２３と内壁部４２と外壁部４３とを互いに接合する第１固定域である１対のサイドシーム１９の間に、第２固定域９７（図９においてハッチングを付した部分）が位置している。
【００６２】
第２固定域９７は、内壁部４２と外壁部４３とを、例えばホットメルト接着剤等の接着剤によって互いに接合するものである。一対のサイドシーム１９の横方向Ｘの寸法Ｌ１が、一対の第２固定域９７の横方向Ｘの寸法Ｌ２よりも大きく、一対のサイドシーム１９の内方に第２固定域９７が位置している。なお、第２固定域９７は、接着剤によって形成する必要はなく、例えば、ヒートシール、ソニック等の溶着手段を使用しても形成することができる。
【００６３】
第２固定域９７は、内壁部４２と外壁部４３とを接合するものであるため、ウエスト重なり部３０の空間Ｓの横方向Ｘの寸法を小さくしている。第２固定域９７は、バックシート８６の横方向Ｘの外側に位置している。このため、軟便等の排泄物を収容する空間Ｓの横方向Ｘの寸法が狭められて、吸収性シャーシ１２の存在域と重なる領域にほぼ限定されるが、空間Ｓの吸収性シャーシ１２の両側に位置する開口部分から空間Ｓに収容された排泄物がクロッチ域１５側へ漏れ出るのを抑制することができる。
【００６４】
横方向Ｘにおいて、第１固定域であるサイドシーム１９と第２固定域９７との間では、ウエストバンド部２３と内壁部４２とが固定されておらず、内壁部４２と外壁部４３とが固定されていないため、後ウエスト域１４が接着剤によって肌触りが低下し、剛性が大きくなるのを抑えることができる。
【００６５】
なお、上記実施形態には、外壁部４３には弾性体６３，６４，６５を配置しないおむつ１０を説明した。しかし、この発明は、それに限られず、外壁部４３に弾性体を配置してもよい。この場合であっても、横方向Ｘにおける伸長応力の相関関係は、ウエストバンド部２３＞内壁部４２＞外壁部４３であることが好ましい。
【００６６】
本発明のおむつ１０を構成する各構成材料には、特に記述がなされている場合を除き、この種の分野において通常用いられている、各種の公知の材料を制限なく用いることができる。また、おむつ１０の基本構造として、本明細書においては、前ウエストパネル１７と後ウエストパネル１８と吸収性シャーシ１２の３つのパネルから構成されるおむつ１０を例示したが、前後ウエスト域１３，１４及びクロッチ域１５が連続するパネルによって構成してもよい。また、非着用状態において、前後ウエスト域１３，１４の両側縁部が連結されたプルオンタイプのおむつではなく、非着用状態において、前後ウエスト域の両側縁部が連結されておらず、おむつ１０を着用するときにテープファスナで両側縁部を連結するオープンタイプのおむつであってもよし、非着用状態において、横方向Ｘの一方を連結してある一方、他方を開放してあり、着用するときに横方向Ｘの他方をテープファスナで連結するオープンタイプのおむつでもよい。また、本明細書において使用されている「第１」〜「第２」等の用語は、同様の要素、位置等を単に区別するために用いてある。
【符号の説明】
【００６７】
１０    使い捨ておむつ（使い捨て着用物品）
１２    吸収性シャーシ
１２Ｂ  後端部
１３    前ウエスト域
１３ｂ  上端縁（後ウエスト域の後ウエスト開口縁）
１４    後ウエスト域
１４ｂ  上端縁（後ウエスト域の前ウエスト開口縁）
１５    クロッチ域
１９    サイドシーム（第１固定域）
２１    ウエスト開口
２３    ウエストバンド部
３０    ウエスト重なり部
３１ａ  第１折曲ライン（第１折曲部）
３３ａ  第２折曲ライン（第２折曲部）
４２    内壁部
４３    外壁部
６１    第１後ウエストシート
６２    第２後ウエストシート
６３    後下方ウエスト弾性体
６４    バンド部弾性体
６５    内壁部弾性体
８５    吸収性コア
８６    バックシート（防漏シート）
８７    バックシート（被覆シート）
９０    レッグ弾性体
９７    第２固定域
Ｌ１    第１固定域であるサイドシームの横方向の寸法
Ｌ２    第２固定域の横方向の寸法
Ｌ３    バンド部弾性体の縦方向の寸法
Ｌ４    内壁部弾性体の縦方向の寸法
Ｓ      空間
Ｘ      横方向
Ｙ      縦方向（上下方向）
Ｚ      前後方向
【図１】
2019071956.tif 000003
【図２】
2019071956.tif 000004
【図３】
2019071956.tif 000005
【図４】
2019071956.tif 000006
【図５】
2019071956.tif 000007
【図６】
2019071956.tif 000008
【図７】
2019071956.tif 000009
【図８】
2019071956.tif 000010
【図９】
2019071956.tif 000011